(57)【特許請求の範囲】
【請求項１】
燃焼筒と、
前記燃焼筒の外周に設けられた音響デバイスと、
を備え、
前記音響デバイスは、
前記燃焼筒の下流側に位置し、前記燃焼筒の径方向において前記燃焼筒を挟んだ一対の位置の少なくとも何れか一方に存在する第１領域と、
前記一対の位置とは前記燃焼筒の軸方向位置が少なくとも一部で重複し、かつ、前記一対の位置とは前記燃焼筒の周方向位置が異なり、前記径方向において前記燃焼筒を挟んだ位置に存在する一対の第２領域と、
前記第１領域および前記第２領域に対して前記燃焼筒の上流側に位置する第３領域と、
を有し、
前記一対の第２領域における前記音響デバイスの前記径方向の厚さは、前記第１領域における前記音響デバイスの前記径方向の厚さよりも小さく、
前記第３領域における前記音響デバイスの前記径方向の厚さは、前記一対の第２領域における前記音響デバイスの前記径方向の厚さよりも大きい
ガスタービン用燃焼器。
【請求項２】
前記第１領域は、前記一対の位置の双方に存在する
請求項１に記載のガスタービン用燃焼器。
【請求項３】
前記燃焼筒は、前記下流側の端部に形成された燃焼ガスの噴き出し口を形成する噴き出し部を有し、
前記燃焼筒の中心軸線は、前記燃焼筒の上流側の第１中心軸線と、前記噴き出し部における第２中心軸線とで異なる方向に延在し、
前記第１領域は、前記第１中心軸線と前記第２中心軸線とを含む第１仮想平面と交差し、
前記一対の第２領域は、前記第１中心軸線を含み前記第１仮想平面と直交する第２仮想平面と交差する
請求項１又は２に記載のガスタービン用燃焼器。
【請求項４】
前記一対の第２領域の少なくとも何れか一方の前記第２領域の少なくとも一部は、前記燃焼筒の中心軸線のうちの前記燃焼筒の上流側の第１中心軸線に沿って見たときに、前記第１領域の外表面における前記燃焼筒の周方向の端部のうち、前記一方の前記第２領域を挟んで位置する２つの端部同士を結ぶ線分よりも前記燃焼筒の径方向外側に存在する
請求項１乃至３の何れか一項に記載のガスタービン用燃焼器。
【請求項５】
前記一対の第２領域の内の一方の領域及び他方の領域の少なくとも何れか一方は、前記燃焼筒の周方向の大きさの方が前記燃焼筒の軸方向の大きさよりも大きい
請求項１乃至４の何れか一項に記載のガスタービン用燃焼器。
【請求項６】
前記第３領域の一部は、前記一対の第２領域の少なくとも一部と前記燃焼筒の周方向において重複する
請求項１乃至５の何れか一項に記載のガスタービン用燃焼器。
【請求項７】
前記第１領域における前記音響デバイスの前記径方向の厚さは、前記一対の第２領域における前記音響デバイスの前記径方向の厚さの２倍以上である
請求項１乃至６の何れか一項に記載のガスタービン用燃焼器。
【請求項８】
前記第３領域に対して前記上流側に位置し、前記第３領域とは前記燃焼筒の周方向における存在範囲が異なる第４領域をさらに有し、
前記第４領域における前記径方向に沿った前記音響デバイスの厚さは、前記一対の第２領域における前記音響デバイスの前記径方向の厚さよりも大きい
請求項１乃至７の何れか一項に記載のガスタービン用燃焼器。
【請求項９】
前記音響デバイスは、互いに独立した複数の共鳴室を有し、
少なくとも１つの前記共鳴室は、前記第１領域と、前記第３領域とにわたって設けられている
請求項１乃至８の何れか一項に記載のガスタービン用燃焼器。
【請求項１０】
前記音響デバイスは、前記燃焼筒の径方向内側に設けられた内側音響デバイスと、少なくとも一部が前記内側音響デバイスよりも前記燃焼筒の径方向外側に設けられた、前記内側音響デバイスとは異なる外側音響デバイスとを含む
請求項１乃至９の何れか一項に記載のガスタービン用燃焼器。
【請求項１１】
前記一対の第２領域には、前記内側音響デバイスが存在し、前記外側音響デバイスが存在せず、
前記第１領域には、前記内側音響デバイス及び前記外側音響デバイスが存在する
請求項１０に記載のガスタービン用燃焼器。
【請求項１２】
前記内側音響デバイス及び前記外側音響デバイスは、それぞれ少なくとも１つの共鳴室を有する
請求項１０又は１１に記載のガスタービン用燃焼器。
【請求項１３】
前記外側音響デバイスにおける少なくとも１つの共鳴室は、前記第１領域と、第３領域とにわたって設けられている
請求項１２に記載のガスタービン用燃焼器。
【請求項１４】
前記内側音響デバイスは、音響ライナを構成し、
前記外側音響デバイスは、音響ダンパを構成する
請求項１０乃至１３の何れか一項に記載のガスタービン用燃焼器。
【請求項１５】
前記第１領域における前記音響デバイスについての前記燃焼筒の周方向の端面と、前記一対の第２領域における前記音響デバイスの外周面と、を接続する接続部材
をさらに備える
請求項１乃至１４の何れか一項に記載のガスタービン用燃焼器。
【請求項１６】
前記接続部材は、板厚方向が前記燃焼筒の軸方向に沿うように配置された少なくとも１つの第１板部材を含む
請求項１５に記載のガスタービン用燃焼器。
【請求項１７】
前記接続部材は、板の表面が前記燃焼筒の軸方向に延在する少なくとも１つの第２板部材を含み、
前記第２板部材は、少なくとも前記第１領域における前記音響デバイスについての前記燃焼筒の周方向の端面と、前記一対の第２領域における前記音響デバイスの外周面とを接続する
請求項１５又は１６に記載のガスタービン用燃焼器。
【請求項１８】
前記接続部材は、
板の表面が前記燃焼筒の軸方向に延在する少なくとも１つの第２板部材と、
前記第２板部材と、前記第１領域における前記音響デバイスについての前記燃焼筒の周方向の端面と、前記一対の第２領域における前記音響デバイスの外周面とで囲まれた領域に配置され、板厚方向が前記燃焼筒の軸方向に沿うように配置された少なくとも１つの第１板部材を含む
請求項１５に記載のガスタービン用燃焼器。
【請求項１９】
前記第１領域における前記音響デバイスについての前記燃焼筒の周方向の端面を有する板部材の厚さは、前記第１領域における前記音響デバイスの外周面を有する板部材の厚さよりも厚い
請求項１乃至１７の何れか一項に記載のガスタービン用燃焼器。
【請求項２０】
請求項１乃至１９の何れか一項に記載のガスタービン用燃焼器を複数備え、
前記複数のガスタービン用燃焼器は、ガスタービンの周方向に配置され、
前記ガスタービンの周方向で隣り合う２つの前記ガスタービン用燃焼器は、前記２つの前記ガスタービン用燃焼器の内の一方の前記ガスタービン用燃焼器についての前記一対の第２領域の内の一方の領域が、前記２つの前記ガスタービン用燃焼器の内の他方の前記ガスタービン用燃焼器についての前記一対の第２領域の内の他方の領域と、前記ガスタービンの周方向で隣り合うように配置されている
ガスタービン。
【請求項２１】
前記複数のガスタービン用燃焼器は、前記ガスタービンの周方向に順に並んだ第１乃至第３ガスタービン用燃焼器を含み、
前記第２ガスタービン用燃焼器において、前記一対の第２領域が存在する前記第２ガスタービン用燃焼器の軸方向の範囲内に存在し、前記第２ガスタービン用燃焼器の中心軸線上に存在する点を第２点とし、
前記第１ガスタービン用燃焼器において、前記一対の第２領域が存在する前記第１ガスタービン用燃焼器の軸方向の範囲内に存在し、前記第１ガスタービン用燃焼器の中心軸線上の点であって、前記第２ガスタービン用燃焼器における第２点と同じ軸方向位置の点を第１点とし、
前記第３ガスタービン用燃焼器において、前記一対の第２領域が存在する前記第３ガスタービン用燃焼器の軸方向の範囲内に存在し、前記第３ガスタービン用燃焼器の中心軸線上の点であって、前記第２ガスタービン用燃焼器における第２点と同じ軸方向位置の点を第３点とし、
前記第２点と前記第１点とを結ぶ第１線分と、前記第２ガスタービン用燃焼器における前記一対の第２領域の外表面とが、前記第２点と前記第１点との間で交差する交差位置において、該外表面と接する該外表面の接平面を第１接平面とし、
前記第２点と前記第３点とを結ぶ第２線分と、前記第２ガスタービン用燃焼器における前記一対の第２領域の外表面とが、前記第２点と前記第３点との間で交差する交差位置において、該外表面と接する該外表面の接平面を第２接平面としたときに、
前記第２ガスタービン用燃焼器における前記第１領域は、前記第１接平面と前記第２接平面との間に存在する
請求項２０に記載のガスタービン。
【請求項２２】
ガスタービンの組立方法であって、
請求項１乃至１９の何れか一項に記載のガスタービン用燃焼器の複数をガスタービンのケーシング内に前記ガスタービンの周方向に配置する工程、
を備え、
前記配置する工程では、前記ガスタービンの周方向で隣り合う２つの前記ガスタービン用燃焼器において、一方の前記ガスタービン用燃焼器における前記一対の第２領域の内の一方の領域と、他方の前記ガスタービン用燃焼器における前記一対の第２領域の内の他方の領域とが前記ガスタービンの周方向で隣り合うように、前記複数の前記ガスタービン用燃焼器を配置する
ガスタービンの組立方法。
【発明の詳細な説明】
【技術分野】
【０００１】
本開示は、ガスタービン用燃焼器、ガスタービン及びガスタービンの組立方法に関する。
【背景技術】
【０００２】
ガスタービンは、圧縮機と、燃焼器と、タービンとを有しており、圧縮機では空気を取り込んで圧縮して高圧にし、高圧になった空気を燃焼器に送り込む。
燃焼器では、高圧の空気に対して燃料を吹き出して燃料を燃焼させる。燃料が燃焼することにより発生する高温の燃焼ガスは、タービンに送られ、この高温の燃焼ガスがタービンを駆動する。
このタービンと前記圧縮機とは同じ回転軸の回りに回転するため、タービンがこのように駆動することにより、圧縮機も駆動し、上述したように空気を取り入れて圧縮をする。
【０００３】
このように作動するガスタービンは、燃料が燃焼する際に燃焼振動が発生する場合があり、この燃焼振動は、ガスタービン運転時の騒音や振動の原因となっていた。
そこで、この燃焼振動に起因する音や振動を抑制するために、燃焼器に、たとえば、多孔板とその外側を覆うカバーとによって構成される比較的高周波の音を吸音する音響ライナを設けたり、大きな共鳴空間を有する比較的低周波の音を吸音する音響ダンパを設けたりしていた（例えば特許文献１参照）。
【先行技術文献】
【特許文献】
【０００４】
【特許文献１】特開２０１３−１１７２３１号公報
【発明の概要】
【発明が解決しようとする課題】
【０００５】
一般的に産業用のガスタービンでは、複数のガスタービン用燃焼器をガスタービンの周方向に沿って並べて配置する。また、タービンの動翼と燃焼器とのガスタービンの径方向位置の関係から、複数の燃焼器をガスタービンの径方向内側に近づけて配置することとなる。したがって、ガスタービンの周方向で隣り合う燃焼器間の間隔は、比較的小さくなる傾向にある。
ガスタービンの周方向で隣り合う燃焼器間の空間に圧縮機からの圧縮空気が流通し難くなることで、燃焼器内に流入する際の圧縮空気の流れについて、燃焼器の周方向の位置による偏りが大きくなってしまうおそれがある。そのため、燃焼筒内で局所的な火炎温度の上昇等が生じ、燃焼振動の増加や、ＮＯｘの増加等を招くおそれがある。
【０００６】
本開示の少なくとも一実施形態は、上述の事情に鑑みて、燃焼筒内に流入する際の圧縮空気の流れについて、燃焼筒の周方向の位置による偏りを抑制することを目的とする。
【課題を解決するための手段】
【０００７】
（１）本開示の少なくとも一実施形態に係るガスタービン用燃焼器は、
燃焼筒と、
前記燃焼筒の外周に設けられた音響デバイスと、
を備え、
前記音響デバイスは、
前記燃焼筒の下流側に位置し、前記燃焼筒の径方向において前記燃焼筒を挟んだ一対の位置の少なくとも何れか一方に存在する第１領域と、
前記一対の位置とは前記燃焼筒の軸方向位置が少なくとも一部で重複し、かつ、前記一対の位置とは前記燃焼筒の周方向位置が異なり、前記径方向において前記燃焼筒を挟んだ位置に存在する一対の第２領域と、
前記第１領域および前記第２領域に対して前記燃焼筒の上流側に位置する第３領域と、
を有し、
前記一対の第２領域における前記音響デバイスの前記径方向の厚さは、前記第１領域における前記音響デバイスの前記径方向の厚さよりも小さく、
前記第３領域における前記音響デバイスの前記径方向の厚さは、前記一対の第２領域における前記音響デバイスの前記径方向の厚さよりも大きい。
【０００８】
（２）本開示の少なくとも一実施形態に係るガスタービンは、
上記（１）の構成のガスタービン用燃焼器を複数備え、
前記複数のガスタービン用燃焼器は、ガスタービンの周方向に配置され、
前記ガスタービンの周方向で隣り合う２つの前記ガスタービン用燃焼器は、前記２つの前記ガスタービン用燃焼器の内の一方の前記ガスタービン用燃焼器についての前記一対の第２領域の内の一方の領域が、前記２つの前記ガスタービン用燃焼器の内の他方の前記ガスタービン用燃焼器についての前記一対の第２領域の内の他方の領域と、前記ガスタービンの周方向で隣り合うように配置されている。
【０００９】
（３）本開示の少なくとも一実施形態に係るガスタービンの組立方法は、
ガスタービンの組立方法であって、
上記（１）の構成のガスタービン用燃焼器の複数をガスタービンのケーシング内に前記ガスタービンの周方向に配置する工程、
を備え、
前記配置する工程では、前記ガスタービンの周方向で隣り合う２つの前記ガスタービン用燃焼器において、一方の前記ガスタービン用燃焼器における前記一対の第２領域の内の一方の領域と、他方の前記ガスタービン用燃焼器における前記一対の第２領域の内の他方の領域とが前記ガスタービンの周方向で隣り合うように、前記複数の前記ガスタービン用燃焼器を配置する。
【発明の効果】
【００１０】
本開示の少なくとも一実施形態によれば、燃焼筒内に流入する際の圧縮空気の流れについて、燃焼筒の周方向の位置による偏りを抑制できる。
【図面の簡単な説明】
【００１１】
【図１】幾つかの実施形態に係るガスタービンを示す概略構成図である。
【図２】幾つかの実施形態に係る燃焼器を示す断面図である。
【図３】幾つかの実施形態に係る燃焼器をガスタービンの中心軸線を中心とするガスタービンの周方向から見た模式的な側面図である。
【図４Ａ】図３におけるＡ−Ａ矢視断面図である。
【図４Ｂ】図３におけるＢ−Ｂ矢視断面図である。
【図４Ｃ】図３におけるＣ−Ｃ矢視断面図である。
【図５Ａ】幾つかの実施形態に係る音響デバイスを燃焼筒の周方向に沿って展開した展開図である。
【図５Ｂ】幾つかの実施形態に係る音響デバイスを燃焼筒の周方向に沿って展開した展開図である。
【図６】ガスタービンの周方向で隣り合う燃焼器間の間隔について説明するための模式図である。
【図７】ガスタービンの周方向で隣り合う燃焼器間の間隔について説明するための模式図である。
【図８】図３におけるＡ−Ａ矢視断面図である。
【図９】燃焼筒の上流側の第１中心軸線に沿って下流側から見た燃焼器の断面図である。
【図１０】一実施形態に係るガスタービンの組立方法についてのフローチャートである。
【発明を実施するための形態】
【００１２】
以下、添付図面を参照して本開示の幾つかの実施形態について説明する。ただし、実施形態として記載されている又は図面に示されている構成部品の寸法、材質、形状、その相対的配置等は、本開示の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１３】
（ガスタービン１について）
図１は、幾つかの実施形態に係るガスタービンを示す概略構成図である。
幾つかの実施形態に係るガスタービン用燃焼器の適用先の一例であるガスタービンについて、図１を参照して説明する。
【００１４】
図１に示すように、幾つかの実施形態に係るガスタービン１は、酸化剤としての圧縮空気を生成するための圧縮機２と、圧縮空気及び燃料を用いて燃焼ガスを発生させるためのガスタービン用燃焼器４と、燃焼ガスによって回転駆動されるように構成されたタービン６と、を備える。発電用のガスタービン１の場合、タービン６には不図示の発電機が連結され、タービン６の回転エネルギーによって発電が行われるようになっている。以下の説明では、ガスタービン用燃焼器４のことを単に燃焼器４とも称する。
【００１５】
幾つかの実施形態に係るガスタービン１における各部位の具体的な構成例について説明する。
幾つかの実施形態に係る圧縮機２は、圧縮機車室１０と、圧縮機車室１０の入口側に設けられ、空気を取り込むための空気取入口１２と、圧縮機車室１０及び後述するタービン車室２２を共に貫通するように設けられたロータ８と、圧縮機車室１０内に配置された各種の翼と、を備える。各種の翼は、空気取入口１２側に設けられた入口案内翼１４と、圧縮機車室１０側に固定された複数の静翼１６と、静翼１６に対して交互に配列されるようにロータ８に植設された複数の動翼１８と、を含む。なお、圧縮機２は、不図示の抽気室等の他の構成要素を備えていてもよい。このような圧縮機２において、空気取入口１２から取り込まれた空気は、複数の静翼１６及び複数の動翼１８を通過して圧縮されることで高温高圧の圧縮空気となる。そして、高温高圧の圧縮空気は圧縮機２から後段の燃焼器４に送られる。
【００１６】
幾つかの実施形態に係る燃焼器４は、ケーシング２０内に配置される。図１に示すように、燃焼器４は、ケーシング２０内にロータ８を中心として環状に複数配置されている。燃焼器４には燃料と圧縮機２で生成された圧縮空気とが供給され、燃料と圧縮空気を燃焼させることによって、タービン６の作動流体である燃焼ガスを発生させる。そして、燃焼ガスは燃焼器４から後段のタービン６に送られる。なお、幾つかの実施形態に係る燃焼器４の詳細な構成例については後述する。
【００１７】
幾つかの実施形態に係るタービン６は、タービン車室２２と、タービン車室２２内に配置された各種の翼と、を備える。各種の翼は、タービン車室２２側に固定された複数の静翼２４と、静翼２４に対して交互に配列されるようにロータ８に植設された複数の動翼２６と、を含む。なお、タービン６は、出口案内翼等の他の構成要素を備えていてもよい。タービン６においては、燃焼ガスが複数の静翼２４及び複数の動翼２６を通過することでロータ８が回転駆動する。これにより、ロータ８に連結された発電機が駆動されるようになっている。
タービン車室２２の下流側には、排気車室２８を介して排気室３０が連結されている。タービン６を駆動した後の燃焼ガスは、排気車室２８及び排気室３０を介して外部へ排出される。
【００１８】
（燃焼器４について）
図２は、幾つかの実施形態に係る燃焼器を示す断面図である。
図２を参照して、幾つかの実施形態に係る燃焼器４の詳細な構成について説明する。
【００１９】
図２に示すように、幾つかの実施形態に係る燃焼器４は、ロータ８を中心として環状に複数配置されている（図１参照）。各燃焼器４は、ケーシング２０により画定される燃焼器車室４０に設けられた燃焼器ライナ４６と、燃焼器ライナ４６内にそれぞれ配置されたパイロット燃焼バーナ５０及び複数の予混合燃焼バーナ（メイン燃焼バーナ）６０と、を含む。燃焼器４は、ケーシング２０の内部において燃焼器ライナ４６の内筒４７の外周側に設けられた外筒４５をさらに含む。内筒４７の外周側かつ外筒４５の内周側には、圧縮空気が流れる空気通路４３が形成される。
なお、燃焼器４は、燃焼ガスをバイパスさせるためのバイパス管（不図示）等の他の構成要素を備えていてもよい。
【００２０】
例えば、燃焼器ライナ４６は、パイロット燃焼バーナ５０及び複数の予混合燃焼バーナ６０の周囲に配置される内筒４７と、内筒４７の先端部に連結された尾筒４８と、を有している。なお、内筒４７と尾筒４８とが一体的な燃焼筒を構成していてもよい。以下の説明では、内筒４７と尾筒４８とが一体的な燃焼筒を構成している場合も含めて、燃焼器ライナ４６を燃焼筒４６とも称する。
パイロット燃焼バーナ５０は、燃焼筒４６の中心軸線ＡＸｃに沿って配置されている。そして、パイロット燃焼バーナ５０を囲むように、複数の予混合燃焼バーナ６０が互いに離間して配列されている。
【００２１】
上記構成を有する燃焼器４において、圧縮機２で生成された高温高圧の圧縮空気は圧縮機出口から燃焼器車室４０内に供給され、さらに燃焼器車室４０から空気通路４３を経由してバーナ筒６６内に流入する。そして、この圧縮空気と、燃料ポート６２から供給された燃料とがバーナ筒６６内で予混合される。この際、予混合気は不図示のスワラにより主として旋回流を形成し、燃焼筒４６内に流れ込む。また、圧縮空気と、燃料ポート５２を介してパイロット燃焼バーナ５０から噴射された燃料とが燃焼筒４６内で混合され、図示しない種火により着火されて燃焼し、燃焼ガスが発生する。このとき、燃焼ガスの一部が火炎を伴って周囲に拡散することで、各予混合燃焼バーナ６０から燃焼筒４６内に流れ込んだ予混合気に着火されて燃焼する。すなわち、パイロット燃焼バーナ５０から噴射されたパイロット燃料によるパイロット火炎によって、予混合燃焼バーナ６０からの予混合気（予混合燃料）の安定燃焼を行うための保炎を行うことができる。
【００２２】
（音響デバイス１００について）
図３は、幾つかの実施形態に係る燃焼器４をロータ８の中心軸線、すなわちガスタービン１の中心軸線ＡＸを中心とするガスタービン１の周方向から見た模式的な側面図である。図３において、ガスタービン１の中心軸線ＡＸは、燃焼器４の図示下方において図示左右方向に延在する。
幾つかの実施形態に係る燃焼器４は、燃焼筒４６の外周に設けられた音響デバイス１００を備えている。
【００２３】
図４Ａは、図３におけるＡ−Ａ矢視断面図である。
図４Ｂは、図３におけるＢ−Ｂ矢視断面図である。
図４Ｃは、図３におけるＣ−Ｃ矢視断面図である。
なお、図４Ａ、図４Ｂ及び図４Ｃでは、燃焼筒４６や後述するハウジング１５０の板の厚さ方向に沿って切断した板の断面が表れているため、この断面を１重の実線で描いている。そのため、実線によって閉鎖された領域は、燃焼筒４６の内部空間や、音響デバイス１００の後述する共鳴室（共鳴空間）１６０に該当する。図４Ａにおいて、板の表面が紙面手前に表れるような部材（後述する第１板部材１８１）については、その表面をハッチングによって表現している。
【００２４】
図５Ａは、幾つかの実施形態に係る音響デバイス１００を燃焼筒４６の周方向に沿って展開した展開図であり、図４ＡにおけるＩ矢視図に相当する、内側音響デバイス１０１についての展開図である。
図５Ｂは、幾つかの実施形態に係る音響デバイス１００を燃焼筒４６の周方向に沿って展開した展開図であり、図４ＡにおけるＩＩ矢視図に相当する、外側音響デバイス１０３についての展開図である。
なお、図５Ａ及び図５Ｂでは、燃焼筒４６の軸方向の位置に関し、図３におけるＡ−Ａ矢視断面、Ｂ−Ｂ矢視断面及びＣ−Ｃ矢視断面が存在する位置を一点鎖線で示している。
【００２５】
幾つかの実施形態に係る音響デバイス１００は、燃焼振動を減衰させるためのものであり、互いに独立した複数の共鳴室（共鳴空間）１６０を形成するハウジング１５０を有する。ハウジング１５０は、燃焼筒の径方向内側に設けられた内側音響デバイス１０１と、少なくとも一部が内側音響デバイス１０１よりも燃焼筒４６の径方向外側に設けられた、内側音響デバイス１０１とは異なる外側音響デバイス１０３とを形成している。すなわち、幾つかの実施形態に係る音響デバイス１００は、内側音響デバイス１０１と、外側音響デバイス１０３とを含んでいる。
ハウジング１５０を構成する板部材のそれぞれは、直接又は間接的に燃焼筒４６の外表面に固定されている。
【００２６】
例えば、内側音響デバイス１０１と外側音響デバイス１０３とで、減衰させる燃焼振動の周波数が異ならせる等、機能の分担をする場合に、例えば比較的容積が小さくても効果を奏することができる機能については、容積が小さくなりがちな、燃焼筒４６の径方向内側に位置する内側音響デバイス１０１に割り当てるようにしてもよい。また、例えば比較的大きな容積が必要となる機能については、容積が大きくし易い、燃焼筒４６の径方向外側に位置する外側音響デバイス１０３に割り当てるようにしてもよい。
このように、幾つかの実施形態に係る音響デバイス１００によれば、内側音響デバイス１０１と外側音響デバイス１０３とに割り当てる機能を容積の点から合理的に設定し易くなる。
【００２７】
幾つかの実施形態に係る音響デバイス１００では、内側音響デバイス１０１は、音響ライナ２０１を構成し、外側音響デバイス１０３は、音響ダンパ２０３を構成する。
音響ライナ２０１は、燃焼振動に起因する、比較的高周波の振動を低減できる音響デバイスであり、音響ダンパ２０３は、燃焼振動に起因する、比較的低周波の振動を低減できる音響デバイスである。そのため、音響ダンパ２０３は、音響ライナ２０１と比べて比較的大きな共鳴空間を必要とする。
したがって、比較的容積が小さくても効果を奏することができる音響ライナ２０１は、容積が小さくなりがちな、燃焼筒４６の径方向内側に位置する内側音響デバイス１０１に割り当てるようにするとよい。また、比較的大きな容積が必要となる音響ダンパ２０３については、容積が大きくし易い、燃焼筒４６の径方向外側に位置する外側音響デバイス１０３に割り当てるようにするとよい。
このように、幾つかの実施形態に係る音響デバイス１００によれば、内側音響デバイス１０１と外側音響デバイス１０３とに割り当てる機能を容積の点から合理的に設定できる。
【００２８】
例えば図５Ａ及び図５Ｂに示すように、幾つかの実施形態に係る内側音響デバイス１０１及び外側音響デバイス１０３は、互いに独立した複数の共鳴室（共鳴空間）１６０をそれぞれ有する。図５Ａ及び図５Ｂに示すように、隣り合う共鳴室１６０は、破線で示した仕切部材１５１によって隔てられている。
なお、各共鳴室１６０は、共鳴室１６０内で共鳴空間が例えば屈曲して延在したり、蛇行して延在するように、不図示の仕切板が共鳴室１６０内に配置されていてもよい。
【００２９】
図５Ａ及び図５Ｂでは、図示上下方向は、燃焼筒４６の中心軸線ＡＸｃに沿った軸方向であり、図示左右方向は、燃焼筒４６の中心軸線ＡＸｃを中心とする燃焼筒４６の周方向である。以下の説明では、燃焼筒４６の中心軸線ＡＸｃに沿った軸方向を燃焼筒４６の軸方向、又は単に軸方向とも称し、燃焼筒４６の中心軸線ＡＸｃを中心とする周方向を燃焼筒４６の周方向、又は単に周方向とも称する。同様に、以下の説明では、燃焼筒４６の中心軸線ＡＸｃを中心とする径方向を燃焼筒４６の径方向、又は単に径方向とも称する。
燃焼筒４６の軸方向に関し、燃焼ガスの噴き出し口４６ｄが存在する一方側を下流側とし、パイロット燃焼バーナ５０等が存在する他方側を上流側とする。
【００３０】
また、以下の説明では、ガスタービン１の中心軸線ＡＸに沿った軸方向をガスタービン１の軸方向と称し、ガスタービン１の中心軸線ＡＸを中心とする周方向をガスタービン１の周方向と称し、ガスタービン１の中心軸線ＡＸを中心とする径方向をガスタービン１の径方向と称する。
ガスタービン１の軸方向に関し、燃焼器４の位置に対して、タービン６や排気室３０が存在する一方側を下流側とし、圧縮機２が存在する他方側を上流側とする。
【００３１】
音響デバイス１００の周方向の位置に関し、ガスタービン１の中心軸線ＡＸを中心とするガスタービンの径方向において、ガスタービン１の中心軸線ＡＸから最も離れた周方向位置を０度とする。そして、燃焼筒４６を軸方向下流側から見たときに周方向位置が０度となる位置からと反時計方向に進むにつれて周方向位置の角度の値が増えるものとする。
【００３２】
内側音響デバイス１０１の複数の共鳴室１６０は、燃焼筒４６に形成された複数の不図示の音響孔を介して、燃焼筒４６の内部空間に連通している。
外側音響デバイス１０３の複数の共鳴室１６０は、例えば図５Ａに示したように、内側音響デバイス１０１が設けられていない領域１１９において燃焼筒４６に形成された複数の不図示の音響孔を介して、燃焼筒４６の内部空間に連通している。
なお、図５Ａ及び図５Ｂに示した例では、外側音響デバイス１０３の複数の共鳴室１６０と燃焼筒４６の内部空間とを連通する上記複数の音響孔は、音響デバイス１００における燃焼筒４６の軸方向下流側の領域に形成されているが、この領域以外の領域に形成されていてもよい。同様に、該複数の音響孔は、燃焼筒４６の周方向において０度近傍及び１８０度近傍の領域に形成されているが、この領域以外の領域に形成されていてもよい。
【００３３】
（ガスタービン１の周方向で隣り合う燃焼器４間の間隔について）
図６及び図７は、ガスタービン１の周方向で隣り合う燃焼器４間の間隔について説明するための模式図であり、図３におけるＶＩＩ矢視のように、ガスタービン１の周方向で隣り合う２つの燃焼器４の燃焼筒４６をガスタービン１の径方向外側から見た図である。なお、図６では、説明の便宜上、音響デバイス１００の記載を省略している。
【００３４】
一般的に産業用のガスタービンでは、幾つかの実施形態に係るガスタービン１のように、複数の燃焼器４をガスタービン１の周方向に沿って並べて配置する。また、タービン６の動翼２６と燃焼器４とのガスタービン１の径方向位置の関係から、複数の燃焼器４をガスタービン１の径方向内側に近づけて配置することとなる。そのため、ガスタービン１の周方向で隣り合う燃焼器４間の間隔は、比較的小さくなる傾向にある。
【００３５】
図２に示すように、圧縮機２から燃焼器車室４０内に導入される燃焼用の圧縮空気は、ガスタービン１の周方向で隣り合う複数の燃焼器４よりもガスタービン１の径方向内側の位置において、矢印ａで示すように、ガスタービン１の軸方向下流側に向かって燃焼器車室４０内に流入する。そして、燃焼器車室４０内に導入された燃焼用の圧縮空気の流れは、矢印ｂ、ｃで示すように、その後、ガスタービンの径方向外側に向かいつつ、矢印ｄ、ｅで示すように、ガスタービン１の軸方向上流側に向かうように転向して燃焼筒４６の軸方向上流側から燃焼筒４６内に流入する。
【００３６】
このように圧縮空気が燃焼器車室４０内に流入した後、燃焼筒４６内に流入する過程で、矢印ｃで示すように、一部の圧縮空気は、ガスタービン１の周方向で隣り合う燃焼器４の燃焼筒４６同士の間の空間（隙間）４０ａを通過する（図６参照）。そのため、ガスタービン１の周方向で隣り合う燃焼筒４６間の空間４０ａが小さくなり過ぎると、燃焼筒４６内に流入する際の圧縮空気の流れについて、燃焼筒４６の周方向の位置による偏りが大きくなってしまう。そのため、燃焼筒４６内で局所的な火炎温度の上昇等が生じ、燃焼振動の増加や、ＮＯｘの増加等を招くおそれがある。
【００３７】
また、産業用のガスタービンには、幾つかの実施形態に係るガスタービン１のように、燃焼振動を減衰させるための音響デバイス１００を設けることが多い。この音響デバイス１００は、燃焼筒４６の外周に取り付けられることが多いため、ガスタービン１の周方向で隣り合う燃焼筒４６間の空間４０ａは、より小さくなる傾向にある（図７参照）。なお、図７において、音響デバイス１００について実線で描いた部分は、後述するような一対の第２領域１１３、１１４を設けた場合の音響デバイス１００の形状を模式的に示すものである。また、図７において、音響デバイス１００について破線で描いた部分は、後述するような一対の第２領域１１３、１１４を設けていない、従来の音響デバイスの形状を模式的に示すものである。
【００３８】
そこで、幾つかの実施形態に係る燃焼器４では、以下のような一対の第１領域１１１、１１２と第３領域１２０とを有するように音響デバイス１００を構成した。
ここで、幾つかの実施形態に係る音響デバイス１００は、燃焼筒４６の下流側に位置し、燃焼筒４６の径方向において燃焼筒４６を挟んだ一対の位置１１１Ａ、１１２Ａに存在する一対の第１領域１１１、１１２を有する（図４Ａ及び後述する図８、図９参照）。音響デバイス１００は、一対の第１領域１１１、１１２（一対の位置１１１Ａ、１１２Ａ）とは燃焼筒４６の軸方向位置が少なくとも一部で重複し、かつ、一対の第１領域１１１、１１２（一対の位置１１１Ａ、１１２Ａ）とは燃焼筒４６の周方向位置が異なり、径方向において燃焼筒４６を挟んだ位置に存在する一対の第２領域１１３、１１４を有する。音響デバイス１００は、第１領域１１１、１１２および第２領域１１３、１１４に対して燃焼筒４６の上流側に位置する第３領域１２０を有する。一対の第２領域１１３、１１４における音響デバイス１００の径方向の厚さｔ１１は、第１領域１１１、１１２における音響デバイス１００の径方向の厚さｔ１２よりも小さい。第３領域１２０における音響デバイス１００の径方向の厚さｔ２０は、一対の第２領域１１３、１１４における音響デバイス１００の径方向の厚さｔ１１よりも大きい。
【００３９】
幾つかの実施形態に係る燃焼器４が上記のような構成を有するのであれば、この燃焼器４をガスタービン１の周方向に並べて複数配置する場合に、一対の第２領域１１３、１１４がガスタービン１の周方向に沿って位置するように複数の燃焼器４を配置するとよい（図７参照）。これにより、一対の第２領域１１３、１１４における音響デバイス１００の厚さｔ１１が上記一対の第１領域１１１、１１２における音響デバイス１００の厚さｔ２１よりも小さいので、ガスタービン１の周方向で隣り合う燃焼筒４６間の空間４０ａを確保し易くなる。そのため、燃焼筒４６内に流入する際の圧縮空気の流れにおいて上述したような燃焼筒４６の周方向の位置による偏りを抑制できる。したがって、燃焼振動やＮＯｘ等の発生を抑制できる燃焼器４を実現できる。
【００４０】
なお、各実施形態における、音響デバイス１００の径方向の厚さとは、音響デバイス１００が設置されている燃焼筒４６の外周面から、音響デバイス１００における、燃焼筒４６の径方向外側の端面までの、燃焼筒４６の径方向の距離のことをいう。また、以下の説明では、音響デバイス１００の径方向の厚さのことを、単に、音響デバイス１００の厚さとも称する。
【００４１】
幾つかの実施形態に係る燃焼器４では、さらに、以下のように音響デバイス１００を構成してもよい。
【００４２】
幾つかの実施形態に係る燃焼器４では、燃焼筒４６は、下流側の端部に形成された燃焼ガスの噴き出し口４６ｄを形成する噴き出し部４６ｅを有する。燃焼筒４６の中心軸線ＡＸｃは、燃焼筒４６の上流側の第１中心軸線ＡＸｃ１と、噴き出し部４６ｅにおける第２中心軸線ＡＸｃ２とで異なる方向に延在する。一対の第１領域１１１、１１２は、第１中心軸線ＡＸｃ１と第２中心軸線ＡＸｃ２とを含む第１仮想平面Ｐｖ１と交差するとよい。一対の第２領域１１３、１１４は、第１中心軸線ＡＸｃ１を含み第１仮想平面Ｐｖ１と直交する第２仮想平面Ｐｖ２と交差するとよい。
【００４３】
幾つかの実施形態では、ガスタービン用燃焼器４をガスタービン１の周方向に並べて複数配置する場合に、一対の第２領域１１３、１１４がガスタービン１の周方向に沿って位置するように複数のガスタービン用燃焼器４を配置すれば、上述したように、ガスタービン１の周方向で隣り合う燃焼筒４６間の空間４０ａを確保し易くなる。そしてこのようにガスタービン用燃焼器４を配置した場合には、一対の第２領域１１３、１１４の径方向の厚さｔ１１よりも径方向の厚さｔ１２が大きい一対の第１領域１１１、１１２の一方の領域１１１と他方の領域１１２ガスタービン１の径方向に並ぶ。そのため、ガスタービン１の周方向で隣り合うガスタービン用燃焼器４同士で一対の第１領域１１１、１１２同士が干渉し難くなるので、一対の第１領域１１１、１１２の容積を確保し易くなる。
【００４４】
図８は、図３におけるＡ−Ａ矢視断面図であり、一対の第１領域１１１、１１２と一対の第２領域１１３、１１４との位置及び寸法関係について説明するための図である。
幾つかの実施形態に係る燃焼器４では、図８に示すように、一対の第２領域１１３、１１４の少なくとも何れか一方の第２領域１１３、１１４の少なくとも一部は、燃焼筒４６の中心軸線ＡＸｃのうちの燃焼筒４６の上流側の第１中心軸線ＡＸｃ１に沿って見たときに、一対の第１領域１１１、１１２の外表面１００ａにおける燃焼筒４６の周方向の端部１００ｂのうち、一方の第２領域１１３、１１４を挟んで位置する２つの端部同士を結ぶ線分Ｌｆよりも径方向外側に存在するとよい。
【００４５】
幾つかの実施形態では、ガスタービン用燃焼器４をガスタービン１の周方向に並べて複数配置する場合に、一対の第２領域１１３、１１４がガスタービン１の周方向に沿って位置するように複数のガスタービン用燃焼器４を配置すれば、一対の第１領域１１１、１１２の一方の領域１１１と他方の領域１１２とが並ぶ方向がガスタービン１の径方向に近づく。幾つかの実施形態に係る燃焼器４によれば、一対の第２領域１１３、１１４の少なくとも何れか一方の第２領域１１３、１１４においてガスタービン１の周方向に最も突出した部分よりも、上記端部１００ｂが該周方向に突出しない。そのため、一対の第１領域１１１、１１２の該周方向に沿った大きさを抑制できるので、ガスタービン１の周方向で隣り合うガスタービン用燃焼器４同士で一対の第１領域１１１、１１２同士が干渉し難くなる。
【００４６】
図９は、燃焼筒４６の上流側の第１中心軸線ＡＸｃ１に沿って下流側から見た燃焼器４の断面図であり、ガスタービン１の周方向で隣り合う４つの燃焼器４とともに図示した図である。
幾つかの実施形態では、図９に示すように、複数のガスタービン用燃焼器４は、ガスタービン１の周方向に順に並んだ第１乃至第３ガスタービン用燃焼器４Ａ、４Ｂ、４Ｃを含む。第２ガスタービン用燃焼器４Ｂにおいて、一対の第２領域１１３、１１４が存在する第２ガスタービン用燃焼器４Ｂの軸方向の範囲内に存在し、第２ガスタービン用燃焼器４Ｂの燃焼筒４６の上流側の第１中心軸線ＡＸｃ１上に存在する点を第２点Ｐ２とする。第１ガスタービン用燃焼器４Ａにおいて、一対の第２領域１１３、１１４が存在する第１ガスタービン用燃焼器４Ａの軸方向の範囲内に存在し、第１ガスタービン用燃焼器４Ａの燃焼筒４６の上流側の第１中心軸線ＡＸｃ１上の点であって、第２ガスタービン用燃焼器４Ｂにおける第２点Ｐ２と同じ軸方向位置の点を第１点Ｐ１とする。第３ガスタービン用燃焼器４Ｃにおいて、一対の第２領域１１３、１１４が存在する第３ガスタービン用燃焼器４Ｃの軸方向の範囲内に存在し、第３ガスタービン用燃焼器４Ｃの燃焼筒４６の上流側の第１中心軸線ＡＸｃ１上の点であって、第２ガスタービン用燃焼器４Ｂにおける第２点Ｐ２と同じ軸方向位置の点を第３点Ｐ３とする。第２点Ｐ２と第１点Ｐ１とを結ぶ第１線分Ｌｖ１と、第２ガスタービン用燃焼器４Ｂにおける一対の第２領域１１３、１１４の外表面１１３ａ、１１４ａとが、第２点Ｐ２と第１点Ｐ１との間で交差する交差位置ＣＰにおいて、該外表面１１３ａ、１１４ａと接する該外表面１１３ａ、１１４ａの接平面を第１接平面Ｐｔ１とする。第２点Ｐ２と第３点Ｐ３とを結ぶ第２線分Ｌｖ２と、第２ガスタービン用燃焼器４Ｂにおける一対の第２領域１１３、１１４の外表面１１３ａ、１１４ａとが、第２点Ｐ２と第３点Ｐ３との間で交差する交差位置にＣＰおいて、該外表面１１３ａ、１１４ａと接する該外表面１１３ａ、１１４ａの接平面を第２接平面Ｐｔ２とする。
第２ガスタービン用燃焼器４Ｂにおける一対の第１領域１１１、１１２は、第１接平面Ｐｔ１と第２接平面Ｐｔ２との間に存在するとよい。
【００４７】
これにより、一対の第１領域１１１、１１２におけるガスタービン１の周方向に沿った大きさを抑制できるので、ガスタービン１の周方向で隣り合うガスタービン用燃焼器４同士で一対の第１領域１１１、１１２同士が干渉し難くなる。
【００４８】
例えば、幾つかの実施形態に係る音響デバイス１００では、一対の第２領域１１３、１１４の内の一方の領域１１３及び他方の領域１１４の少なくとも何れか一方は、燃焼筒４６の周方向に沿った大きさＬｃの方が燃焼筒４６の軸方向に沿った大きさＬａｘよりも大きいとよい。
これにより、一対の第２領域１１３、１１４における音響デバイス１００の容積を確保しつつ、燃焼筒４６の周方向に沿った大きさＬｃの方が燃焼筒４６の軸方向に沿った大きさＬａｘよりも小さい場合と比べて、隣り合う燃焼器４間の間隔を大きくできる。
なお、一方の領域１１３と他方の領域１１４とで周方向に沿った大きさＬｃは、異なっていてもよい。同様に、一方の領域１１３と他方の領域１１４とで軸方向に沿った大きさＬａｘは、異なっていてもよい。
【００４９】
幾つかの実施形態に係る音響デバイス１００では、第３領域１２０の一部は、上記一対の第２領域１１３、１１４の少なくとも一部と周方向において重複してもよい。
【００５０】
一般的に、燃焼器４は、ガスタービン１のケーシング２０に取り付けられた際、燃焼筒４６の下流側が上流側よりもガスタービン１のロータ８の軸線、すなわちガスタービン１の中心軸線ＡＸに近づくように中心軸線ＡＸに対して傾けて取り付けられる。そのため、複数の燃焼器４をガスタービン１の周方向に沿って並べて配置すると、各燃焼器４の中心軸線ＡＸｃについてのピッチ円は、燃焼筒４６の下流側に向かうにつれて小さくなる。そのため、ガスタービン１の周方向で隣り合う燃焼筒４６間の間隔は、燃焼筒４６の下流側に向かうにつれて小さくなる傾向にある。逆に、ガスタービン１の周方向で隣り合う燃焼筒４６間の間隔は、燃焼筒４６の上流側に向かうにつれて大きくなる傾向にある。
【００５１】
したがって、上述のように一対の第１領域１１１、１１２及び一対の第２領域１１３、１１４よりも燃焼筒４６の上流側に位置する第３領域１２０が一対の第２領域１１３、１１４の少なくとも一部と周方向において重複したとしても、隣り合う燃焼筒４６同士の間の空間４０ａを通過する圧縮空気の流れに与える影響が少ない。また、上述のように、一対の第１領域１１１、１１２及び一対の第２領域１１３、１１４よりも燃焼筒４６の上流側に位置する第３領域１２０が一対の第２領域１１３、１１４の少なくとも一部と周方向において重複することが許容されれば、第３領域１２０における音響デバイス１００の容積を確保し易くなる。
【００５２】
幾つかの実施形態に係る音響デバイス１００では、一対の第１領域１１１、１１２における音響デバイス１００の径方向の厚さｔ１２は、一対の第２領域１１３、１１４における音響デバイス１００の径方向の厚さｔ１１の２倍以上であるとよい。
一対の第１領域１１１、１１２における音響デバイス１００の径方向の厚さｔ１２と、一対の第２領域１１３、１１４における音響デバイス１００の径方向の厚さｔ１１との差を大きくすることで、音響デバイス１００の容積を確保しつつ、隣り合う燃焼器４間の間隔を大きくすることができる。
【００５３】
幾つかの実施形態に係る音響デバイス１００では、第３領域１２０に対して燃焼筒４６の上流側に位置し、第３領域１２０とは燃焼筒４６の周方向における存在範囲が異なる第４領域１３０をさらに有していてもよい。第４領域１３０における径方向に沿った音響デバイス１００の厚さｔ３０は、一対の第２領域１１３、１１４における音響デバイス１００の径方向の厚さｔ１１よりも大きいとよい。
上述したように、ガスタービン１の周方向で隣り合う燃焼筒４６間の間隔は、燃焼筒４６の上流側に向かうにつれて大きくなる傾向にあるので、第３領域１２０に対して上流側に位置する第４領域１３０を設けても、隣り合う燃焼筒４６同士の間の空間４０ａを通過する圧縮空気の流れに与える影響が少ない。
上記のような第４領域１３０を設けることで、隣り合う燃焼筒４６同士の間の空間４０ａを通過する圧縮空気の流れに与える影響を抑制しつつ、音響デバイス１００の容積を確保できる。
【００５４】
幾つかの実施形態に係る音響デバイス１００では、上述したように、音響デバイス１００は、互いに独立した複数の共鳴室１６０を有しているとよい。少なくとも１つの共鳴室１６０は、例えば、図５Ｂに示すように、一対の第１領域１１１、１１２の少なくとも一方の領域（すなわち、一方の領域１１１又は他方の領域１１２の少なくとも何れか一方）と、第３領域１２０とにわたって設けられていてもよい。
これにより、該共鳴室１６０の容積を確保し易くなる。
なお、例えば、図５Ｂに示すように、少なくとも１つの共鳴室１６０は、第３領域１２０と、第４領域１３０とにわたって設けられていてもよく、一方の領域１１１又は他方の領域１１２の少なくとも何れか一方と、第３領域１２０と、第４領域１３０とにわたって設けられていてもよい。
【００５５】
幾つかの実施形態に係る音響デバイス１００では、一対の第２領域１１３、１１４には、内側音響デバイス１０１が存在し、外側音響デバイス１０３が存在せず、一対の第１領域１１１、１１２には、内側音響デバイス１０１及び外側音響デバイス１０３が存在するとよい。
これにより、一対の第２領域１１３、１１４における音響デバイス１００の厚さｔ１１を一対の第１領域１１１、１１２における音響デバイス１００の厚さｔ１２よりも小さくすることが容易となる。
【００５６】
幾つかの実施形態に係る音響デバイス１００では、上述したように、内側音響デバイス１０１及び外側音響デバイス１０３は、それぞれ少なくとも１つの共鳴室１６０を有するとよい。
これにより、内側音響デバイス１０１と外側音響デバイス１０３とで、例えば減衰させる燃焼振動の周波数を異ならせる等、共鳴室１６０に割り当てられた機能を異ならせることができる。
【００５７】
幾つかの実施形態に係る音響デバイス１００では、外側音響デバイス１０３における少なくとも１つの共鳴室１６０は、例えば、図５Ｂに示すように、一対の第１領域１１１、１１２の少なくとも一方の領域（すなわち、一方の領域１１１又は他方の領域１１２の少なくとも何れか一方）と、第３領域１２０とにわたって設けられているとよい。
これにより、該共鳴室１６０の容積を確保し易くなる。
なお、例えば、図５Ｂに示すように、外側音響デバイス１０３における少なくとも１つの共鳴室１６０は、第３領域１２０と、第４領域１３０とにわたって設けられていてもよく、一方の領域１１１又は他方の領域１１２の少なくとも何れか一方と、第３領域１２０と、第４領域１３０とにわたって設けられていてもよい。
【００５８】
（接続部材１８０について）
幾つかの実施形態に係る音響デバイス１００では、一対の第１領域１１１、１１２における音響デバイス１００についての燃焼筒４６の周方向の端面１５０ａと、一対の第２領域１１３、１１４における音響デバイス１００の外周面（外表面１００ａ）と、を接続する接続部材１８０をさらに備えていてもよい。
接続部材１８０の詳細については、後で説明する。
【００５９】
幾つかの実施形態に係る燃焼器４では、一対の第１領域１１１、１１２における音響デバイス１００の厚さｔ１２と一対の第２領域１１３、１１４における音響デバイス１００の厚さｔ１１とに差があるため、音響デバイス１００の剛性は、一対の第１領域１１１、１１２と一対の第２領域１１３、１１４とで異なる。具体的には、一対の第１領域１１１、１１２における音響デバイス１００の剛性よりも一対の第２領域１１３、１１４における音響デバイス１００の剛性の方が小さい。そのため、燃焼器４において燃料と燃焼用の圧縮空気との混合気が燃焼して燃焼筒４６の温度が上昇すると、一対の第２領域１１３、１１４における一方の領域１１３と他方の領域１１４とが互いに離間し、一対の第１領域１１１、１１２における一方の領域１１１と他方の領域１１２とが接近するように、燃焼筒４６が変形する傾向にある。このような燃焼筒４６の変形を横オーバル変形とも称する。
【００６０】
幾つかの実施形態に係る音響デバイス１００では、音響デバイス１００についての上記端面１５０ａと、一対の第２領域１１３、１１４における音響デバイス１００の外周面１００ａとを接続部材１８０を介して接続することで、一対の第２領域１１３、１１４における音響デバイス１００が変形し難くなるので、上述したような燃焼筒４６の横オーバル変形を抑制できる。
【００６１】
例えば接続部材１８０は、板厚方向が燃焼筒４６の軸方向に沿うように配置された少なくとも１つの第１板部材１８１を含むとよい。
図４Ａでは、第１板部材１８１の板の表面は、紙面手前側及び紙面奥側を向く。そこで、図４Ａでは、上述したように、第１板部材１８１の板の表面をハッチングによって表現している。
【００６２】
幾つかの実施形態に係る燃焼器４では、一対の第１領域１１１、１１２における音響デバイス１００についての上記端面１５０ａと、一対の第２領域１１３、１１４における音響デバイスの外周面１００ａが交差している。そのため、燃焼器４の表面には、該端面１５０ａと該外周面１００ａとで形成される凹部１９１が存在する。
第１板部材１８１は、上述したように、該端面１５０ａと該外周面１００ａとを接続する板部材であって、板厚方向が燃焼筒４６の軸方向に沿うように配置されている。すなわち、第１板部材１８１は、板部材の周縁が該端面１５０ａと該外周面１００ａとに接続されたリブ状の部材であり、燃焼筒４６の周方向及び径方向に延在することとなる。そのため、上記端面１５０ａを有する板部材１５３が、該外周面１００ａを有する板部材１５５に対して相対的に倒れるように変形することとなる上述したような燃焼筒４６の横オーバル変形に対し、これを抑制するように第１板部材１８１が作用する。したがって、板状の部材という、比較的単純な形態の部材によって上述したような燃焼筒４６の横オーバル変形を抑制できる。
【００６３】
また、例えば接続部材１８０は、板の表面が燃焼筒４６の軸方向に延在する少なくとも１つの第２板部材１８２を含むとよい。第２板部材１８２は、少なくとも一対の第１領域１１１、１１２の内の少なくとも一方の領域（すなわち、一方の領域１１１又は他方の領域１１２の少なくとも何れか一方）における音響デバイス１００についての燃焼筒４６の周方向の端面１５０ａと、一対の第２領域１１３、１１４における音響デバイス１００の外周面１００ａとを接続するとよい。
なお、図４Ａには、第２板部材１８２の板の厚さ方向に沿って切断した板の断面が表れている。
【００６４】
これにより、板状の部材という、比較的単純な形態の部材によって上述したような燃焼筒４６の横オーバル変形を抑制できる。また、第２板部材１８２を設けることで、以下で説明するように、一対の第２領域１１３、１１４における音響デバイス１００の外周面１００ａに沿って一対の第１領域１１１、１１２における一方の領域１１１と他方の領域１１２とを結ぶ方向に流れる圧縮空気の流れが乱れることを抑制できる。すなわち、燃焼器４の表面には、上述した凹部１９１が存在する。そのため、一対の第２領域１１３、１１４における音響デバイス１００の外周面１００ａに沿って一対の第１領域１１１、１１２における一方の領域１１１と他方の領域１１２とを結ぶ方向に流れる圧縮空気の流れは、第２板部材１８２が存在しない場合には、上記凹部１９１を通過する際に乱される。
第２板部材１８２は、一対の第１領域１１１、１１２における音響デバイス１００についての上記端面１５０ａと、一対の第２領域１１３、１１４における音響デバイス１００の外周面１００ａとを接続し、且つ、板の表面が燃焼筒４６の軸方向に沿うように延在する。そのため、第２板部材１８２は、上記凹部１９１の深さを浅くするように上記凹部１９１を覆うことができる。
したがって、第２板部材１８２を設けることにより、一対の第２領域１１３、１１４における音響デバイス１００の外周面１００ａに沿って一対の第１領域１１１、１１２における一方の領域１１１と他方の領域１１２とを結ぶ方向に流れる圧縮空気の流れが乱れることを抑制できる。
【００６５】
なお、一対の第２領域１１３、１１４における音響デバイス１００の外周面１００ａに沿って一対の第１領域１１１、１１２における一方の領域１１１と他方の領域１１２とを結ぶ方向に流れる圧縮空気の流れの方向は、該一方の領域１１１から該他方の領域１１２に向かう方向であるか、又はその逆の方向の何れかであるので、該一方の領域１１１又は該他方の領域１１２のうち、圧縮空気の流れの下流側に位置する領域の方に第２板部材１８２が設けられていればよく、上流側に位置する領域の方には必ずしも第２板部材１８２を設ける必要はない。なお、図４Ａに示した例では、ガスタービン１の径方向内側となる紙面下方からガスタービン１の径方向外側となる紙面上方に向かって上記圧縮空気が流れるので、一方の領域１１１に第２板部材１８２が設けられているとよい。すなわち、幾つかの実施形態において、一対の第２領域１１３、１１４における音響デバイス１００の外周面１００ａに沿って一対の第１領域１１１、１１２における一方の領域１１１と他方の領域１１２とを結ぶ方向に流れる圧縮空気の流れは、図２において矢印ｃで示した圧縮空気の流れに相当する。
【００６６】
また、例えば上述した第１板部材１８１と第２板部材１８２とを設け、第２板部材１８２で凹部１９１を覆うとともに、第２板部材１８２で覆われた凹部１９１に少なくとも１つの第１板部材１８１が配置されるようにしてもよい。
すなわち、接続部材１８０は、以下で説明するような少なくとも１つの第２板部材１８２と、少なくとも１つの第１板部材１８１を含むとよい。ここで、第２板部材１８２は、板の表面が燃焼筒４６の軸方向に延在する板部材であるとよい。第１板部材１８１は、第２板部材１８２と、一対の第１領域１１１、１１２における音響デバイス１００についての燃焼筒４６の周方向の端面１５０ａと、一対の第２領域１１３、１１４における音響デバイス１００の外周面１００ａとで囲まれた領域に配置され、板厚方向が燃焼筒４６の軸方向に沿うように配置された板部材であるとよい。
【００６７】
これにより、上述したような、第１板部材１８１についての作用効果と、第２板部材１８２についての作用効果とを奏することができる。また、第２板部材１８２と、一対の第１領域１１１、１１２における音響デバイス１００についての上記端面１５０ａと、一対の第２領域１１３、１１４における音響デバイス１００の外周面１００ａとで囲まれた領域に第１板部材１８１が配置されることとなる。これにより、一対の第２領域１１３、１１４における音響デバイス１００の外周面１００ａに沿って一対の第１領域１１１、１１２における一方の領域１１１と他方の領域１１２とを結ぶ方向に流れる圧縮空気の流れに対して第１板部材１８１が影響を及ぼすことを抑制できる。
【００６８】
例えば、幾つかの実施形態に係る音響デバイス１００では、一対の第１領域１１１、１１２における音響デバイス１００についての燃焼筒４６の周方向の端面１５０ａを有する板部材１５３の厚さは、一対の第１領域１１１、１１２における音響デバイス１００の外周面１００ａを有する板部材１５６の厚さよりも厚いとよい。
上記板部材１５３の厚さを厚くすることで、上述したような燃焼筒４６の横オーバル変形を抑制できる。
【００６９】
上述した幾つかの実施形態に係る燃焼器４をガスタービン１に配置する場合、ガスタービンの周方向で隣り合う２つの燃焼器４は、該２つの燃焼器４の内の一方の燃焼器４についての一対の第２領域１１３、１１４の内の一方の領域１１３が、該２つの燃焼器４の内の他方の燃焼器４についての一対の第２領域１１３、１１４の内の他方の領域１１４と、ガスタービンの周方向で隣り合うように配置されているとよい（図７参照）。
これにより、該２つの燃焼器４同士の間隔を大きくできる。したがって、燃焼筒４６内に流入する際の圧縮空気の流れにおいて上述したような燃焼筒４６の周方向の位置による偏りを抑制できる。よって、燃焼振動やＮＯｘ等の発生を抑制できるガスタービン１を実現できる。
【００７０】
（ガスタービンの組立方法）
図１０は、一実施形態に係るガスタービンの組立方法についてのフローチャートである。なお、図１０に示すフローチャートは、上述した幾つかの実施形態に係る燃焼器４の配置について説明するためのものである。
一実施形態に係るガスタービンの組立方法は、上述した幾つかの実施形態に係るガスタービン１の組立方法である。一実施形態に係るガスタービンの組立方法は、上述した幾つかの実施形態に係る燃焼器４の複数をガスタービン１のケーシング２０内にガスタービン１の周方向に配置する工程Ｓ１０を備える。
配置する工程Ｓ１０では、例えば図７に示すように、ガスタービン１の周方向で隣り合う２つのガスタービン用燃焼器４において、一方のガスタービン用燃焼器４における一対の第２領域１１３、１１４の内の一方の領域１１３と、他方のガスタービン用燃焼器４における一対の第２領域１１３、１１４の内の他方の領域１１４とがガスタービン１の周方向で隣り合うように、複数のガスタービン用燃焼器４を配置する。
【００７１】
これより、一対の第２領域１１３、１１４における音響デバイス１００の厚さｔ１１が一対の第１領域１１１、１１２における音響デバイス１００の厚さｔ１２よりも小さいので、ガスタービン１の周方向で隣り合う燃焼筒４６間の空間４０ａを確保し易くなる。これにより、燃焼筒４６内に流入する際の圧縮空気の流れにおいて上述したような燃焼筒４６の周方向の位置による偏りを抑制できる。したがって、燃焼振動やＮＯｘ等の発生を抑制できるガスタービン用燃焼器４を実現できる。
【００７２】
本開示は上述した実施形態に限定されることはなく、上述した実施形態に変形を加えた形態や、これらの形態を適宜組み合わせた形態も含む。
例えば、上述した幾つかの実施形態に係る音響デバイス１００は、燃焼筒４６の径方向において燃焼筒４６を挟んだ一対の位置１１１Ａ、１１２Ａに存在する第１領域１１１、１１２を有する。しかし、幾つかの実施形態に係る音響デバイス１００は、上記一対の位置１１１Ａ、１１２Ａの一方の位置１１１Ａに存在する第１領域１１１、又は、他方の位置１１２Ａに存在する第１領域１１２の何れか一方だけを有していてもよい。なお、第１領域１１１、１１２が上記一対の位置１１１Ａ、１１２Ａの双方に存在れば、音響デバイス１００の容積を確保し易くなる。
【００７３】
上記各実施形態に記載の内容は、例えば以下のように把握される。
（１）本開示の少なくとも一実施形態に係るガスタービン用燃焼器４は、燃焼筒４６と、燃焼筒４６の外周に設けられた音響デバイス１００と、を備える。音響デバイス１００は、燃焼筒４６の下流側に位置し、燃焼筒４６の径方向において燃焼筒４６を挟んだ一対の位置の少なくとも何れか一方に存在する第１領域１１１、１１２を有する。音響デバイス１００は、一対の位置１１１Ａ、１１２Ａとは燃焼筒４６の軸方向位置が少なくとも一部で重複し、かつ、一対の位置１１１Ａ、１１２Ｂとは燃焼筒４６の周方向位置が異なり、径方向において燃焼筒４６を挟んだ位置に存在する一対の第２領域１１３、１１４を有する。音響デバイス１００は、第１領域１１１、１１２および第２領域１１３、１１４に対して燃焼筒４６の上流側に位置する第３領域１２０を有する。一対の第２領域１１３、１１４における音響デバイス１００の径方向の厚さｔ１１は、第１領域１１１、１１２における音響デバイス１００の径方向の厚さｔ１２よりも小さい。第３領域１２０における音響デバイス１００の径方向の厚さｔ２０は、一対の第２領域１１３、１１４における音響デバイス１００の径方向の厚さｔ１１よりも大きい。
【００７４】
上記（１）の構成によるガスタービン用燃焼器４をガスタービン１の周方向に並べて複数配置する場合に、一対の第２領域１１３、１１４がガスタービン１の周方向に沿って位置するように複数のガスタービン用燃焼器４を配置すれば、一対の第２領域１１３、１１４における音響デバイス１００の厚さｔ１１が第１領域１１１、１１２における音響デバイス１００の厚さｔ１２よりも小さいので、ガスタービン１の周方向で隣り合う燃焼筒４６間の空間４０ａを確保し易くなる。これにより、燃焼筒４６内に流入する際の圧縮空気の流れにおいて上述したような燃焼筒４６の周方向の位置による偏りを抑制できる。したがって、燃焼振動やＮＯｘ等の発生を抑制できるガスタービン用燃焼器４を実現できる。
【００７５】
（２）幾つかの実施形態では、上記（１）の構成において、第１領域１１１、１１２は、一対の位置１１１Ａ、１１２Ａの双方に存在するとよい。
【００７６】
上記（２）の構成によれば、音響デバイス１００の容積を確保し易くなる。
【００７７】
（３）幾つかの実施形態では、上記（１）又は（２）の構成において、燃焼筒４６は、下流側の端部に形成された燃焼ガスの噴き出し口４６ｄを形成する噴き出し部４６ｅを有する。燃焼筒４６の中心軸線ＡＸｃは、燃焼筒４６の上流側の第１中心軸線ＡＸｃ１と、噴き出し部４６ｅにおける第２中心軸線ＡＸｃ２とで異なる方向に延在する。第１領域１１１、１１２は、第１中心軸線ＡＸｃ１と第２中心軸線ＡＸｃ２とを含む第１仮想平面Ｐｖ１と交差するとよい。一対の第２領域１１３、１１４は、第１中心軸線ＡＸｃ１を含み第１仮想平面Ｐｖ１と直交する第２仮想平面Ｐｖ２と交差するとよい。
【００７８】
上記（３）の構成によるガスタービン用燃焼器４をガスタービン１の周方向に並べて複数配置する場合に、一対の第２領域１１３、１１４がガスタービン１の周方向に沿って位置するように複数のガスタービン用燃焼器４を配置すれば、上述したように、ガスタービン１の周方向で隣り合う燃焼筒４６間の空間４０ａを確保し易くなる。そしてこのようにガスタービン用燃焼器４を配置した場合には、一対の第２領域１１３、１１４の径方向の厚さｔ１１よりも径方向の厚さｔ１２が大きい第１領域１１１、１１２の一方の領域１１１と他方の領域１１２ガスタービン１の径方向に並ぶ。そのため、ガスタービン１の周方向で隣り合うガスタービン用燃焼器４同士で第１領域１１１、１１２同士が干渉し難くなるので、第１領域１１１、１１２の容積を確保し易くなる。
【００７９】
（４）幾つかの実施形態では、上記（１）乃至（３）の何れかの構成において、一対の第２領域１１３、１１４の少なくとも何れか一方の第２領域１１３、１１４の少なくとも一部は、燃焼筒４６の中心軸線ＡＸｃのうちの燃焼筒４６の上流側の第１中心軸線ＡＸｃ１に沿って見たときに、第１領域１１１、１１２の外表面１００ａにおける燃焼筒４６の周方向の端部１００ｂのうち、一方の第２領域１１３、１１４を挟んで位置する２つの端部同士を結ぶ線分Ｌｆよりも燃焼筒の径方向外側に存在するとよい。
【００８０】
上記（４）の構成によるガスタービン用燃焼器４をガスタービン１の周方向に並べて複数配置する場合に、一対の第２領域１１３、１１４がガスタービン１の周方向に沿って位置するように複数のガスタービン用燃焼器４を配置すれば、第１領域１１１、１１２の一方の領域１１１と他方の領域１１２とが並ぶ方向がガスタービン１の径方向に近づく。上記（４）の構成によれば、一対の第２領域１１３、１１４の少なくとも何れか一方の第２領域１１３、１１４においてガスタービン１の周方向に最も突出した部分よりも、上記端部１００ｂが該周方向に突出しない。そのため、第１領域１１１、１１２の該周方向に沿った大きさを抑制できるので、ガスタービン１の周方向で隣り合うガスタービン用燃焼器４同士で第１領域１１１、１１２同士が干渉し難くなる。
【００８１】
（５）幾つかの実施形態では、上記（１）乃至（４）の何れかの構成において、一対の第２領域１１３、１１４の内の一方の領域１１３及び他方の領域１１４の少なくとも何れか一方は、燃焼筒４６の周方向の大きさＬｃの方が燃焼筒４６の軸方向の大きさＬａｘよりも大きいとよい。
【００８２】
上記（５）の構成によれば、一対の第２領域１１３、１１４における音響デバイス１００の容積を確保しつつ、燃焼筒４６の周方向の大きさＬｃの方が燃焼筒４６の軸方向の大きさＬａｘよりも小さい場合と比べて、隣り合う燃焼器４間の間隔を大きくできる。
【００８３】
（６）幾つかの実施形態では、上記（１）乃至（５）の何れかの構成において、第３領域１２０の一部は、一対の第２領域１１３、１１４の少なくとも一部と周方向において重複してもよい。
【００８４】
上述したように、上記（６）の構成のように第１領域１１１、１１２及び一対の第２領域１１３、１１４よりも燃焼筒４６の上流側に位置する第３領域１２０が一対の第２領域１１３、１１４の少なくとも一部と周方向において重複したとしても、隣り合う燃焼筒４６同士の間の空間４０ａを通過する圧縮空気の流れに与える影響が少ない。また、上記（６）の構成のように、第１領域１１１、１１２及び一対の第２領域１１３、１１４よりも燃焼筒４６の上流側に位置する第３領域１２０が一対の第２領域１１３、１１４の少なくとも一部と周方向において重複することが許容されれば、第３領域１２０における音響デバイス１００の容積を確保し易くなる。
【００８５】
（７）幾つかの実施形態では、上記（１）乃至（６）の何れかの構成において、第１領域１１１、１１２における音響デバイス１００の径方向の厚さｔ１２は、一対の第２領域１１３、１１４における音響デバイス１００の径方向の厚さｔ１１の２倍以上であるとよい。
【００８６】
上記（７）の構成によれば、第１領域１１１、１１２における音響デバイス１００の径方向の厚さｔ１２と、一対の第２領域１１３、１１４における音響デバイス１００の径方向の厚さｔ１１との差を大きくすることで、音響デバイス１００の容積を確保しつつ、隣り合う燃焼器４間の間隔を大きくすることができる。
【００８７】
（８）幾つかの実施形態では、上記（１）乃至（７）の何れかの構成において、第３領域１２０に対して燃焼筒４６の上流側に位置し、第３領域１２０とは燃焼筒４６の周方向における存在範囲が異なる第４領域１３０をさらに有していてもよい。第４領域１３０における径方向に沿った音響デバイス１００の厚さｔ３０は、一対の第２領域１１３、１１４における音響デバイス１００の径方向の厚さｔ１１よりも大きいとよい。
【００８８】
上述したように、ガスタービン１の周方向で隣り合う燃焼筒４６間の間隔は、燃焼筒４６の上流側に向かうにつれて大きくなる傾向にあるので、第３領域１２０に対して上流側に位置する第４領域１３０を設けても、隣り合う燃焼筒４６同士の間の空間４０ａを通過する圧縮空気の流れに与える影響が少ない。
上記（８）の構成によれば、隣り合う燃焼筒４６同士の間の空間４０ａを通過する圧縮空気の流れに与える影響を抑制しつつ、音響デバイス１００の容積を確保できる。
【００８９】
（９）幾つかの実施形態では、上記（１）乃至（８）の何れかの構成において、音響デバイス１００は、互いに独立した複数の共鳴室１６０を有しているとよい。少なくとも１つの共鳴室１６０は、上記第１領域１１１、１１２と、第３領域１２０とにわたって設けられていてもよい。
【００９０】
上記（９）の構成によれば、第１領域１１１、１１２と、第３領域１２０とにわたって共鳴室１６０を設けることで、該共鳴室１６０の容積を確保し易くなる。
【００９１】
（１０）幾つかの実施形態では、上記（１）乃至（９）の何れかの構成において、音響デバイス１００は、燃焼筒４６の径方向内側に設けられた内側音響デバイス１０１と、少なくとも一部が内側音響デバイス１０１よりも燃焼筒４６の径方向外側に設けられた、内側音響デバイス１０１とは異なる外側音響デバイス１０３とを含むとよい。
【００９２】
上記（１０）の構成によれば、例えば、内側音響デバイス１０１と外側音響デバイス１０３とで、減衰させる燃焼振動の周波数を異ならせる等、機能の分担をする場合に、例えば比較的容積が小さくても効果を奏することができる機能については、容積が小さくなりがちな径方向内側に位置する内側音響デバイス１０１に割り当てるようにしてもよい。また、例えば比較的大きな容積が必要となる機能については、容積を大きくし易い径方向外側に位置する外側音響デバイス１０３に割り当てるようにしてもよい。このように、上記（１０）の構成によれば、内側音響デバイス１０１と外側音響デバイス１０３とに割り当てる機能を容積の点から合理的に設定し易くなる。
【００９３】
（１１）幾つかの実施形態では、上記（１０）の構成において、一対の第２領域１１３、１１４には、内側音響デバイス１０１が存在し、外側音響デバイス１０３が存在せず、第１領域１１１、１１２には、内側音響デバイス１０１及び外側音響デバイス１０３が存在するとよい。
【００９４】
上記（１１）の構成によれば、一対の第２領域１１３、１１４における音響デバイス１００の厚さｔ１１を第１領域１１１、１１２における音響デバイス１００の厚さｔ１２よりも小さくすることが容易となる。
【００９５】
（１２）幾つかの実施形態では、上記（１０）又は（１１）の構成において、内側音響デバイス１０１及び外側音響デバイス１０３は、それぞれ少なくとも１つの共鳴室１６０を有するとよい。
【００９６】
上記（１２）の構成によれば、内側音響デバイス１０１と外側音響デバイス１０３とで、例えば減衰させる燃焼振動の周波数を異ならせる等、共鳴室１６０に割り当てられた機能を異ならせることができる。
【００９７】
（１３）幾つかの実施形態では、上記（１２）の構成において、外側音響デバイス１０３における少なくとも１つの共鳴室１６０は、第１領域１１１、１１２と、第３領域１２０とにわたって設けられているとよい。
【００９８】
上記（１３）の構成によれば、第１領域１１１、１１２と、第３領域１２０とにわたって共鳴室１６０を設けることで、該共鳴室１６０の容積を確保し易くなる。
【００９９】
（１４）幾つかの実施形態では、上記（１０）乃至（１３）の何れかの構成において、内側音響デバイス１０１は、音響ライナ２０１を構成し、外側音響デバイス１０３は、音響ダンパ２０３を構成するとよい。
【０１００】
音響ライナ２０１は、燃焼振動に起因する、比較的高周波の振動を低減できる音響デバイス１００であり、音響ダンパ２０３は、燃焼振動に起因する、比較的低周波の振動を低減できる音響デバイス１００である。そのため、音響ダンパ２０３は、音響ライナ２０１と比べて比較的大きな共鳴空間を必要とする。
したがって、比較的容積が小さくても効果を奏することができる音響ライナ２０１は、容積が小さくなりがちな径方向内側に位置する内側音響デバイス１０１に割り当てるようにするとよい。また、比較的大きな容積が必要となる音響ダンパ２０３については、容積が大きくし易い径方向外側に位置する外側音響デバイス１０３に割り当てるようにするとよい。
このように、上記（１４）の構成によれば、内側音響デバイス１０１と外側音響デバイス１０３とに割り当てる機能を容積の点から合理的に設定できる。
【０１０１】
（１５）幾つかの実施形態では、上記（１）乃至（１４）の何れかの構成において、第１領域１１１、１１２における音響デバイス１００についての燃焼筒４６の周方向の端面１５０ａと、一対の第２領域１１３、１１４における音響デバイス１００の外周面１００ａと、を接続する接続部材１８０をさらに備えていてもよい。
【０１０２】
上記（１５）の構成によれば、接続部材１８０が第１領域１１１、１１２における音響デバイス１００についての上記端面１５０ａと、一対の第２領域１１３、１１４における音響デバイス１００の外周面（外表面１００ａ）と、を接続しているので、上述したような燃焼筒４６の横オーバル変形を抑制できる。
【０１０３】
（１６）幾つかの実施形態では、上記（１５）の構成において、接続部材１８０は、板厚方向が燃焼筒４６の軸方向に沿うように配置された少なくとも１つの第１板部材１８１を含むとよい。
【０１０４】
上記（１６）の構成によれば、板状の部材という、比較的単純な形態の部材によって上述したような燃焼筒４６の横オーバル変形を抑制できる。
【０１０５】
（１７）幾つかの実施形態では、上記（１５）又は（１６）の構成において、接続部材１８０は、板の表面が燃焼筒４６の軸方向に延在する少なくとも１つの第２板部材１８２を含むとよい。第２板部材１８２は、第１領域１１１、１１２における音響デバイス１００についての燃焼筒４６の周方向の端面１５０ａと、一対の第２領域１１３、１１４における音響デバイス１００の外周面１００ａとを接続するとよい。
【０１０６】
上記（１７）の構成によれば、板状の部材という、比較的単純な形態の部材によって上述したような燃焼筒４６の横オーバル変形を抑制できる。また、上記（１７）の構成によれば、一対の第２領域１１３、１１４における音響デバイス１００の外周面１００ａに沿って第１領域１１１、１１２における一方の領域１１１と他方の領域１１２とを結ぶ方向に流れる圧縮空気の流れが乱れることを抑制できる。
【０１０７】
（１８）幾つかの実施形態では、上記（１５）の構成において、接続部材１８０は、以下で説明するような少なくとも１つの第２板部材１８２と、少なくとも１つの第１板部材１８１を含むとよい。ここで、第２板部材１８２は、板の表面が燃焼筒４６の軸方向に延在する板部材であるとよい。第１板部材１８１は、第２板部材１８２と、第１領域１１１、１１２における音響デバイス１００についての燃焼筒４６の周方向の端面１５０ａと、一対の第２領域１１３、１１４における音響デバイス１００の外周面１００ａとで囲まれた領域に配置され、板厚方向が燃焼筒４６の軸方向に沿うように配置された板部材であるとよい。
【０１０８】
上記（１８）の構成によれば、第１板部材１８１によって、上述した上記構成（１６）における作用効果と同様の作用効果を奏し、第２板部材１８２によって、上述した上記構成（１７）における作用効果と同様の作用効果を奏する。また、上記（１８）の構成によれば、第２板部材１８２と、第１領域１１１、１１２における音響デバイス１００についての上記端面１５０ａと、一対の第２領域１１３、１１４における音響デバイス１００の外周面１００ａとで囲まれた領域に第１板部材１８１が配置されるので、一対の第２領域１１３、１１４における音響デバイス１００の外周面１００ａに沿って第１領域１１１、１１２における一方の領域１１１と他方の領域１１２とを結ぶ方向に流れる圧縮空気の流れに対して第１板部材１８１が影響を及ぼすことを抑制できる。
【０１０９】
（１９）幾つかの実施形態では、上記（１）乃至（１８）の何れかの構成において、第１領域１１１、１１２における音響デバイス１００についての燃焼筒４６の周方向の端面１５０ａを有する板部材１５３の厚さは、第１領域１１１、１１２における音響デバイス１００の外周面１００ａを有する板部材１５６の厚さよりも厚いとよい。
【０１１０】
上記（１９）の構成によれば、上記端面１５０ａを有する板部材１５３の厚さを厚くすることで、上述したような燃焼筒４６の横オーバル変形を抑制できる。
【０１１１】
（２０）本開示の少なくとも一実施形態に係るガスタービン１は、上記（１）乃至（１９）の何れかの構成のガスタービン用燃焼器４を複数備える。複数のガスタービン用燃焼器４は、ガスタービン１の周方向に配置される。ガスタービン１の周方向で隣り合う２つのガスタービン用燃焼器４は、該２つのガスタービン用燃焼器４の内の一方のガスタービン用燃焼器４についての一対の第２領域１１３、１１４の内の一方の領域１１３が、該２つのガスタービン用燃焼器４の内の他方のガスタービン用燃焼器４についての一対の第２領域１１３、１１４の内の他方の領域１１４と、ガスタービンの周方向で隣り合うように配置されている。
【０１１２】
上記（２０）の構成によれば、該２つのガスタービン用燃焼器４同士の間隔を大きくできる。これにより、燃焼筒４６内に流入する際の圧縮空気の流れにおいて上述したような燃焼筒４６の周方向の位置による偏りを抑制できる。したがって、燃焼振動やＮＯｘ等の発生を抑制できるガスタービン１を実現できる。
【０１１３】
（２１）幾つかの実施形態では、上記（２０）の構成において複数のガスタービン用燃焼器４は、ガスタービン１の周方向に順に並んだ第１乃至第３ガスタービン用燃焼器４Ａ、４Ｂ、４Ｃを含む。第２ガスタービン用燃焼器４Ｂにおいて、一対の第２領域１１３、１１４が存在する第２ガスタービン用燃焼器４Ｂの軸方向の範囲内に存在し、第２ガスタービン用燃焼器４Ｂの中心軸線ＡＸｃ（第１中心軸線ＡＸｃ１）上に存在する点を第２点Ｐ２とする。第１ガスタービン用燃焼器４Ａにおいて、一対の第２領域１１３、１１４が存在する第１ガスタービン用燃焼器４Ａの軸方向の範囲内に存在し、第１ガスタービン用燃焼器４Ａの中心軸線ＡＸｃ（第１中心軸線ＡＸｃ１）上の点であって、第２ガスタービン用燃焼器４Ｂにおける第２点Ｐ２と同じ軸方向位置の点を第１点Ｐ１とする。第３ガスタービン用燃焼器４Ｃにおいて、一対の第２領域１１３、１１４が存在する第３ガスタービン用燃焼器４Ｃの軸方向の範囲内に存在し、第３ガスタービン用燃焼器４Ｃの中心軸線ＡＸｃ（第１中心軸線ＡＸｃ１）上の点であって、第２ガスタービン用燃焼器４Ｂにおける第２点Ｐ２と同じ軸方向位置の点を第３点Ｐ３とする。第２点Ｐ２と第１点Ｐ１とを結ぶ第１線分Ｌｖ１と、第２ガスタービン用燃焼器４Ｂにおける一対の第２領域１１３、１１４の外表面１１３ａ、１１４ａとが、第２点Ｐ２と第１点Ｐ１との間で交差する交差位置ＣＰにおいて、該外表面１１３ａ、１１４ａと接する該外表面１１３ａ、１１４ａの接平面を第１接平面Ｐｔ１とする。第２点Ｐ２と第３点Ｐ３とを結ぶ第２線分Ｌｖ２と、第２ガスタービン用燃焼器４Ｂにおける一対の第２領域１１３、１１４の外表面１１３ａ、１１４ａとが、第２点Ｐ２と第３点Ｐ３との間で交差する交差位置にＣＰおいて、該外表面１１３ａ、１１４ａと接する該外表面１１３ａ、１１４ａの接平面を第２接平面Ｐｔ２とする。
第２ガスタービン用燃焼器４Ｂにおける第１領域１１１、１１２は、第１接平面Ｐｔ１と第２接平面Ｐｔ２との間に存在するとよい。
【０１１４】
上記（２１）の構成によれば、第１領域１１１、１１２におけるガスタービン１の周方向に沿った大きさを抑制できるので、ガスタービン１の周方向で隣り合うガスタービン用燃焼器４同士で第１領域１１１、１１２同士が干渉し難くなる。
【０１１５】
（２２）本開示の少なくとも一実施形態に係るガスタービンの組立方法は、ガスタービン１の組立方法であって、上記（１）乃至（１９）の何れかの構成のガスタービン用燃焼器４の複数をガスタービン１のケーシング２０内にガスタービン１の周方向に配置する工程Ｓ１０を備える。配置する工程Ｓ１０では、ガスタービン１の周方向で隣り合う２つのガスタービン用燃焼器４において、一方のガスタービン用燃焼器４における一対の第２領域１１３、１１４の内の一方の領域１１３と、他方のガスタービン用燃焼器４における一対の第２領域１１３、１１４の内の他方の領域１１４とがガスタービン１の周方向で隣り合うように、複数のガスタービン用燃焼器４を配置する。
【０１１６】
上記（２２）の方法によれば、一対の第２領域１１３、１１４における音響デバイス１００の厚さｔ１１が第１領域１１１、１１２における音響デバイス１００の厚さｔ１２よりも小さいので、ガスタービン１の周方向で隣り合う燃焼筒４６間の空間４０ａを確保し易くなる。これにより、燃焼筒４６内に流入する際の圧縮空気の流れにおいて上述したような燃焼筒４６の周方向の位置による偏りを抑制できる。したがって、燃焼振動やＮＯｘ等の発生を抑制できるガスタービン用燃焼器４を実現できる。
【符号の説明】
【０１１７】
１      ガスタービン
４      ガスタービン用燃焼器（燃焼器）
４６    燃焼筒（燃焼器ライナ）
１００  音響デバイス
１０１  内側音響デバイス
１０３  外側音響デバイス
１１１、１１２  第１領域
１１３、１１４  一対の第２領域
１２０  第３領域
１３０  第４領域
１６０  共鳴室（共鳴空間）
１８０  接続部材
１８１  第１板部材
１８２  第２板部材
２０１  音響ライナ
２０３  音響ダンパ
【要約】
【課題】燃焼筒内に流入する圧縮空気の偏りを抑制する。
【解決手段】一実施形態に係るガスタービン用燃焼器の音響デバイスは、燃焼筒の下流側に位置し、燃焼筒の径方向において燃焼筒を挟んだ一対の位置の少なくとも何れか一方に存在する第１領域と、一対の位置とは燃焼筒の軸方向位置が少なくとも一部で重複し、かつ、一対の位置とは燃焼筒の周方向位置が異なり、径方向において燃焼筒を挟んだ位置に存在する一対の第２領域と、第１領域および第２領域に対して燃焼筒の上流側に位置する第３領域と、を有する。一対の第２領域における音響デバイスの径方向の厚さは、第１領域における音響デバイスの径方向の厚さよりも小さく、第３領域における音響デバイスの径方向の厚さは、一対の第２領域における音響デバイスの径方向の厚さよりも大きい。
【選択図】図３【図１】
0006980144.tif 000002
【図２】
0006980144.tif 000003
【図３】
0006980144.tif 000004
【図４Ａ】
0006980144.tif 000005
【図４Ｂ】
0006980144.tif 000006
【図４Ｃ】
0006980144.tif 000007
【図５Ａ】
0006980144.tif 000008
【図５Ｂ】
0006980144.tif 000009
【図６】
0006980144.tif 000010
【図７】
0006980144.tif 000011
【図８】
0006980144.tif 000012
【図９】
0006980144.tif 000013
【図１０】
0006980144.tif 000014